(57)【要約】【課題】待ち受け時の消費電力を低減させる。【解決手段】携帯電話３１０としての機能と、Ｂｌｕｅｔｏｏｔｈ機器３２０としての機能と、を兼ね備えた無線通信装置に、ホッピング場検出部３３０を組み込む。このホッピング場検出部３３０には、Ｂｌｕｅｔｏｏｔｈの通信規格による周波数ホッピング周期Ｔで周波数遷移するホッピング場が周囲に存在するか否かを検出する機能をもたせる。携帯電話３１０は通常の待ち受け状態にするが、Ｂｌｕｅｔｏｏｔｈ機器３２０の待ち受け動作に必要な発振回路は、ホッピング場検出部３３０からの検出信号が与えられるまで休止状態にし、この検出信号が与えられたときにはじめてＢｌｕｅｔｏｏｔｈ機器３２０が通常の待ち受け状態に移行するようにする。このように発振回路を休止状態にすることにより、消費電力の低減を図る。【選択図】        図１２
2004180230.tif 000002
【特許請求の範囲】
【請求項１】
複数通りの通信周波数を、所定周期で所定の順番に従って切り替えながら通信を行う周波数ホッピング方式を用いた無線通信装置であって、
前記複数通りの周波数から選択された任意の周波数で発振可能な発振回路を有し、この発振回路で発生させた交流信号を用いて、周波数ホッピング方式を用いた無線通信もしくはその準備を行う周波数ホッピング式通信部と、
周囲における特定の電磁的ホッピング場の存在を検出するホッピング場検出部と、
を備え、前記ホッピング場検出部が特定の電磁的ホッピング場の存在を検出した場合にのみ、前記発振回路が動作するように構成されていることを特徴とする周波数ホッピング方式を用いた無線通信装置。
【請求項２】
請求項１に記載の無線通信装置において、
ホッピング場検出部における周囲の電磁場の変動を示す信号を受信する部分と、周波数ホッピング式通信部における信号を受信する部分と、を共用するようにしたことを特徴とする周波数ホッピング方式を用いた無線通信装置。
【請求項３】
第１の無線通信方式による通信を行う機能をもった第１の無線通信部と、第２の無線通信方式による通信を行う機能をもった第２の無線通信部と、周囲における特定の電磁的ホッピング場の存在を検出するホッピング場検出部と、を備え、
少なくとも前記第２の無線通信部は、複数通りの通信周波数を、所定周期で所定の順番に従って切り替えながら通信を行う周波数ホッピング方式を用いた無線通信を行うために、前記複数通りの周波数から選択された任意の周波数で発振可能な発振回路を有し、この発振回路で発生させた交流信号を用いて、周波数ホッピング方式を用いた無線通信もしくはその準備を行う機能を有し、かつ、前記ホッピング場検出部が特定の電磁的ホッピング場の存在を検出した場合にのみ、前記発振回路が動作するように構成されていることを特徴とする周波数ホッピング方式を用いた無線通信装置。
【請求項４】
請求項３に記載の無線通信装置において、
ホッピング場検出部における周囲の電磁場の変動を示す信号を受信する部分と、第１または第２の無線通信部における信号を受信する部分と、を共用するようにしたことを特徴とする周波数ホッピング方式を用いた無線通信装置。
【請求項５】
請求項１〜４のいずれかに記載の無線通信装置において、
ホッピング場検出部が、ホッピング周波数帯における周囲の電磁場の変動を示す信号を受信する信号受信部と、受信した信号の周波数成分を振幅成分に変換する周波数／振幅変換回路と、変換後の信号の包絡線を検出する包絡線検出回路と、検出した包絡線に含まれる時系列パターンが周波数ホッピングパターンに一致するか否かを判定する時系列パターン判定回路と、を備え、前記時系列パターン判定回路が一致判定を行ったときに電磁的ホッピング場の存在を検出したことを示す検出信号を出力することを特徴とする周波数ホッピング方式を用いた無線通信装置。
【請求項６】
請求項５に記載の無線通信装置において、
単同調回路もしくは位相変化回路を利用して周波数／振幅変換回路を構成したことを特徴とする周波数ホッピング方式を用いた無線通信装置。
【請求項７】
請求項５または６に記載の無線通信装置において、
時系列パターン判定回路が、包絡線検出回路が検出した包絡線に対応するゲインをもった信号を所定のサンプル周期でサンプリングし、ゲインに応じたサンプル値の羅列として出力するサンプリング回路と、前記サンプル周期に同期した同期信号の周期を計数するカウンタと、前記サンプリング回路から出力されたサンプル値を所定期間だけ記憶するサンプル値記憶回路と、前記サンプリング回路から出力されたサンプル値を前記サンプル値記憶回路に記憶されている所定サンプル周期分前のサンプル値と比較し、両者が不一致の場合に前記カウンタをリセットする比較器と、前記カウンタがリセットされる直前の計数値に基づいて、前記包絡線に含まれる時系列パターンが周波数ホッピングパターンに一致するか否かを判定する計数値判定部と、を備えることを特徴とする周波数ホッピング方式を用いた無線通信装置。
【請求項８】
請求項７に記載の無線通信装置において、
計数値判定部が、リセット直前の計数値に対応する時間が、周波数ホッピング方式における周波数切替周期に一致するか否かを認識することにより、パターンの一致判定を行うことを特徴とする周波数ホッピング方式を用いた無線通信装置。
【請求項９】
請求項１〜８のいずれかに記載の無線通信装置の一構成要素として記載されているホッピング場検出部を有するホッピング場の検出装置。
【発明の詳細な説明】
【０００１】
【発明の属する技術分野】
本発明は、周波数ホッピング方式を用いた無線通信装置に関し、特に、Ｂｌｕｅｔｏｏｔｈなどの通信規格や無線ＬＡＮなどの無線通信装置において、ホッピング場の存在を検出する技術に関する。
【０００２】
【従来の技術】
無線通信システムは、個々の端末装置に対する物理的な配線が不要であるため、主に、移動体に対する通信システムとして広く利用されている。最近では、パソコン同士の接続にも、有線ＬＡＮに代わって無線ＬＡＮが普及しはじめており、また、パソコンのみならず、携帯電話や家電製品なども含めた無線通信規格として、Ｂｌｕｅｔｏｏｔｈなる通信規格が提唱され、徐々に普及しはじめている。
【０００３】
このような無線通信システムの一形態として、周波数ホッピング方式が利用されることが少なくない。周波数ホッピング方式では、予め複数通りの通信周波数を定めておき、これを所定周期で所定の順番に従って切り替えながら通信を行うことになる。移動体を対象とした無線通信システムの場合、基地局と移動局との間で、予め、どのようなホッピング周期で、どのようなホッピングパターンに従って、周波数を切り替えるかを決めておき、その取り決めに従って両者で通信周波数を随時切り替えながら通信を行うことになる。上記Ｂｌｕｅｔｏｏｔｈなる通信規格も、このような周波数ホッピング方式の通信を前提としている。この周波数ホッピング方式の技術自体は、既に公知のものであり、たとえば、下記の非特許文献１には、周波数ホッピング方式による通信の基本概念が記載されている。
【０００４】
周波数ホッピング方式の第１の利点は、通信内容のセキュリティを図ることができる点である。通信を不正に傍受しようとしても、ホッピングパターンを知らない限り、周波数切替に追従してゆくことが困難になるので、このような不正傍受を抑制させることができる。また、第２の利点は、複数の通信が行われていた場合に、相互の干渉を低減させることができるという点である。移動体通信システムの場合、複数の移動体が同一地域で同時に通信を行うことが少なくないが、通信周波数が随時切り替えられることにより、相互干渉の影響を低減させることができる。
【非特許文献】
横山光雄著「スペクトル拡散通信システム」科学技術出版
【０００５】
【発明が解決しようとする課題】
一般に、通信用端末装置は、現時点で通信を行っていない場合でも、他の端末装置からの呼び出しがあったときに即座に応答できるように、待ち受け状態にしておく必要がある。たとえば、一般的な携帯電話では、着信があった場合に即座に応答できるように、呼び出し信号の存在をモニターしつつ、いつでも受信できるような待ち受け状態を維持している。これは、周波数ホッピング方式を用いた無線通信システムに利用される通信装置でも同様である。しかしながら、一般の携帯電話のように、予め固定された周波数で通信を行う場合は、当該固定通信周波数での呼び出し信号をモニターするだけでよいが、周波数ホッピング方式を用いた無線通信システムでは、待ち受け状態において、ホッピングの可能性がある多数の周波数帯の信号をモニターする必要があるため、消費電力が大きな特別な回路を用いた待ち受け動作を行わねばならない。
【０００６】
このように、従来の周波数ホッピング方式を用いた無線通信装置には、待ち受け時の消費電力が大きいという問題があった。これは、今後、携帯電話や小型家電製品などにＢｌｕｅｔｏｏｔｈのような通信規格に基づく無線通信機能を付加する上で、バッテリの消耗を早める要因となり、早急に解決すべき課題となっている。
【０００７】
そこで本発明は、周波数ホッピング方式を用いた無線通信装置において、待ち受け時の消費電力を低減させることを目的とする。また、このような目的達成のために利用可能なホッピング場の検出装置を提供することを目的とする。
【０００８】
【課題を解決するための手段】
（１）    本発明の第１の態様は、複数通りの通信周波数を、所定周期で所定の順番に従って切り替えながら通信を行う周波数ホッピング方式を用いた無線通信装置において、
上記複数通りの周波数から選択された任意の周波数で発振可能な発振回路を有し、この発振回路で発生させた交流信号を用いて、周波数ホッピング方式を用いた無線通信もしくはその準備を行う周波数ホッピング式通信部と、
周囲における特定の電磁的ホッピング場の存在を検出するホッピング場検出部と、
を設け、ホッピング場検出部が特定の電磁的ホッピング場の存在を検出した場合にのみ、周波数ホッピング式通信部内の発振回路が動作するように構成したものである。
【０００９】
（２）    本発明の第２の態様は、上述の第１の態様に係る周波数ホッピング方式を用いた無線通信装置において、
ホッピング場検出部における周囲の電磁場の変動を示す信号を受信する部分と、周波数ホッピング式通信部における信号を受信する部分と、を共用するようにしたものである。
【００１０】
（３）    本発明の第３の態様は、周波数ホッピング方式を用いた無線通信装置において、
第１の無線通信方式による通信を行う機能をもった第１の無線通信部と、第２の無線通信方式による通信を行う機能をもった第２の無線通信部と、周囲における特定の電磁的ホッピング場の存在を検出するホッピング場検出部と、を設け、
少なくとも第２の無線通信部は、複数通りの通信周波数を、所定周期で所定の順番に従って切り替えながら通信を行う周波数ホッピング方式を用いた無線通信を行うために、上記複数通りの周波数から選択された任意の周波数で発振可能な発振回路を有し、この発振回路で発生させた交流信号を用いて、周波数ホッピング方式を用いた無線通信もしくはその準備を行う機能を有し、かつ、ホッピング場検出部が特定の電磁的ホッピング場の存在を検出した場合にのみ、発振回路が動作するように構成されているようにしたものである。
【００１１】
（４）    本発明の第４の態様は、上述の第３の態様に係る周波数ホッピング方式を用いた無線通信装置において、
ホッピング場検出部における周囲の電磁場の変動を示す信号を受信する部分と、第１または第２の無線通信部における信号を受信する部分と、を共用するようにしたものである。
【００１２】
（５）    本発明の第５の態様は、上述の第１〜第４の態様に係る周波数ホッピング方式を用いた無線通信装置において、
ホッピング周波数帯における周囲の電磁場の変動を示す信号を受信する信号受信部と、受信した信号の周波数成分を振幅成分に変換する周波数／振幅変換回路と、変換後の信号の包絡線を検出する包絡線検出回路と、検出した包絡線に含まれる時系列パターンが周波数ホッピングパターンに一致するか否かを判定する時系列パターン判定回路と、によってホッピング場検出部を構成し、時系列パターン判定回路が一致判定を行ったときに電磁的ホッピング場の存在を検出したことを示す検出信号を出力するようにしたものである。
【００１３】
（６）    本発明の第６の態様は、上述の第５の態様に係る周波数ホッピング方式を用いた無線通信装置において、
単同調回路もしくは位相変化回路を利用して周波数／振幅変換回路を構成するようにしたものである。
【００１４】
（７）    本発明の第７の態様は、上述の第５または第６の態様に係る周波数ホッピング方式を用いた無線通信装置において、
包絡線検出回路が検出した包絡線に対応するゲインをもった信号を所定のサンプル周期でサンプリングし、ゲインに応じたサンプル値の羅列として出力するサンプリング回路と、サンプル周期に同期した同期信号の周期を計数するカウンタと、サンプリング回路から出力されたサンプル値を所定期間だけ記憶するサンプル値記憶回路と、サンプリング回路から出力されたサンプル値をサンプル値記憶回路に記憶されている所定サンプル周期分前のサンプル値と比較し、両者が不一致の場合にカウンタをリセットする比較器と、カウンタがリセットされる直前の計数値に基づいて、包絡線に含まれる時系列パターンが周波数ホッピングパターンに一致するか否かを判定する計数値判定部と、によって時系列パターン判定回路を構成するようにしたものである。
【００１５】
（８）    本発明の第８の態様は、上述の第７の態様に係る周波数ホッピング方式を用いた無線通信装置において、
計数値判定部が、リセット直前の計数値に対応する時間が、周波数ホッピング方式における周波数切替周期に一致するか否かを認識することにより、パターンの一致判定を行うようにしたものである。
【００１６】
（９）    本発明の第９の態様は、上述の第１〜第８の態様に係る周波数ホッピング方式を用いた無線通信装置の一構成要素として記載されているホッピング場検出部を用いてホッピング場検出装置を構成するようにしたものである。
【００１７】
【発明の実施の形態】
以下、本発明を図示する実施形態に基づいて説明する。
【００１８】
＜＜＜  §１．周波数ホッピング方式の基本原理  ＞＞＞
ここでは、本発明の説明の便宜上、一般的な周波数ホッピング方式の基本原理を簡単に説明する。図１は、一般的な周波数ホッピング方式の基本原理を示すダイヤグラムであり、横軸は周波数ｆ、縦軸は時間ｔを示している。周波数ホッピング方式は、複数通りの通信周波数を、所定周期で所定の順番に従って切り替えながら通信を行う無線通信方式であり、図示の例では、ｆ０〜ｆ４までの５通りの通信周波数が定義されている。これら５通りの通信周波数は、それぞれ所定の周波数帯域を有しており、図では横軸（周波数ｆ軸）方向に多少の広がりをもった領域として、この５通りの通信周波数ｆ０〜ｆ４を示してある。
【００１９】
ここで、時間軸ｔ上の各時刻ｔ０〜ｔ４は、それぞれ同一周期Ｔの間隔で配置されており、ｔ４の次はｔ０へと戻り循環する。時刻ｔ０〜ｔ１の期間はｆ０なる通信周波数が用いられ、時刻ｔ１〜ｔ２の期間はｆ１なる通信周波数が用いられ、時刻ｔ２〜ｔ３の期間はｆ２なる通信周波数が用いられ、時刻ｔ３〜ｔ４の期間はｆ３なる通信周波数が用いられ、時刻ｔ４〜ｔ０の期間はｆ４なる通信周波数が用いられることが示されている。結局、この例の場合、通信周波数は周期Ｔごとに、ｆ０→ｆ１→ｆ２→ｆ３→ｆ４→ｆ０→ｆ１→……というパターンでホッピングすることになる。
【００２０】
図２は、このような周波数ホッピング方式による通信を行う通信部１００の基本構成の一例を示すブロック図である。図示のとおり、この通信部１００は、アンテナ１１０と、このアンテナ１１０に接続されたダウンコンバータ１２０およびアップコンバータ１３０と、発振回路１４０と、信号乗算器１５０，１６０と、検波回路１７０と、通信制御回路１８０と、によって構成されている。
【００２１】
アンテナ１１０によって受信されたＲＦ信号（たとえば、Ｂｌｕｅｔｏｏｔｈの通信規格の場合は、２．４ＧＨｚ帯の信号）は、ダウンコンバータ１２０によって、より低い周波数帯域の受信信号（図１に示す周波数ｆ０〜ｆ４の帯域を含む信号）に変換される。信号乗算器１５０では、この受信信号に、発振回路１４０で発生した所定周波数（図１に示す周波数ｆ０〜ｆ４の中から選択されたいずれかの周波数）の交流信号を乗算し、その乗算結果となる信号が検波回路１７０に与えられる。検波回路１７０は、与えられた信号に含まれていたベースバンド受信信号を抽出する検波処理を行い、これを通信制御回路１８０へと与える。ダウンコンバータ１２０から出力される受信信号のホッピング周波数と、発振回路１４０が発生する周波数とが一致すると、信号乗算器１５０による乗算により、当該周波数帯域の情報のみが選択的に増強され、検波回路で検波されることになる。
【００２２】
通信制御回路１８０は、この通信部１００全体を制御する構成要素であり、検波回路１７０によって抽出されたベースバンド受信信号に対して必要な処理を施すとともに、送信対象となるデータをベースバンド送信信号として信号乗算器１６０に出力する処理や、発振回路１４０に対して、発振周波数ｆを指示する処理を実行する。信号乗算器１６０では、発振回路１４０で発生した所定周波数の交流信号に、ベースバンド送信信号を乗算する処理が行われ、その乗算結果となる信号はアップコンバータ１３０によりＲＦ信号へと変換された後、アンテナ１１０から送信されることになる。
【００２３】
ここでは、この図２に示す周波数ホッピング式通信部１００が、移動局として機能する無線通信装置に組み込まれているものとし、この移動局が基地局からの呼び出しを受けて通信を行うまでの基本動作を簡単に説明する。この移動局として機能する無線通信装置は、基地局からの呼び出しに即座に応答できるように待ち受け状態を維持する必要があるが、基地局からの通信は周波数ホッピング方式で行われるため、待ち受け状態では、周波数を同調させる試みが行われる。
【００２４】
図３は、周波数ホッピング方式を採用する基地局と移動局との間における待ち受け状態の一般的な動作を説明するためのタイムダイヤグラムである。この例では、基地局は、周期Ｔ１の間隔で、通信周波数をｆ０→ｆ１→ｆ２→と順番に切替ながら、周囲にいる移動局からの応答を求める操作を行っている。別言すれば、基地局からは、周期Ｔ１の間隔で周波数ホッピングする電波が送信されることになる。一方、移動局は、周期Ｔ２の間隔で、やはり通信周波数をｆ０→ｆ１→ｆ２→と順番に切替ながら、周囲にある基地局からの電波を受信する操作を行っている。具体的には、図２に示すブロック図において、通信制御回路１８０から発振回路１４０に対して、周期Ｔ２の間隔で所定の通信周波数が指示されることになる。
【００２５】
このように、基地局からの送信信号の周波数ホッピングの周期Ｔ１と、移動局における受信用の周波数ホッピングの周期Ｔ２とに関して、一方を他方に対して十分長く設定しておけば、いずれかの時点で両者の周波数が同調することになり、この同調したタイミングで、同調した通信周波数を利用することにより、基地局からの呼び出し操作と、移動局からの応答操作とを行うことができる。たとえば、図３の例の場合、移動局が周波数ｆ０で待ち受けている周期Ｔ２内に、基地局が同じ周波数ｆ０で送信を行うタイミングが１回存在し、同様に、移動局が周波数ｆ１で待ち受けている次の周期の期間内にも、基地局が同じ周波数ｆ１で送信を行うタイミングが１回存在しており、これらのタイミングにおいて、両者の送受信周波数は同調することになり、呼び出しおよび応答の操作を実行することが可能になる。
【００２６】
結局、図２に示す通信部１００では、待ち受け状態にある場合には、通信制御回路１８０から発振回路１４０に対して、図３の下段に示す周期Ｔ２の間隔で、ｆ０→ｆ１→ｆ２→と順番に周波数の指定が行われることになる。このような待ち受け状態の動作を行っているにもかかわらず、周囲に基地局が存在しなければ、検波回路１７０には有意な受信信号の検波は行われない。ところが、周囲に基地局が存在し、図３の上段に示す周期Ｔ１の間隔で周波数ホッピング方式を行いながら、呼び出しのための信号送信を行っていれば、移動局は、上述したタイミングでこの呼び出しを認識することができ、アップコンバータ１３０を介して信号を返信することにより、これに応答することができる。
【００２７】
以上が、基地局と移動局との間で、周波数ホッピング方式を用いた無線通信を行う前に行われる準備段階の手順である。このように、基地局側からの呼び出しに対して、所定の移動局からの応答が得られると、両者間で通常の周波数ホッピング方式を用いた無線通信が実行される。両者間には、既に上述したタイミングで同期がとれているので、両者は、周波数ホッピングの新たな周期をＴ１の整数倍（Ｂｌｕｅｔｏｏｔｈの場合では２倍）に設定しなおし、無線通信を開始する。すなわち、通信制御回路１８０は、発振回路１４０に対して、新たな設定周期ごとに周波数ホッピングする指示を与えることになる。こうして、基地局と移動局との双方が、同一のホッピングパターンに基づいて、同一の周期で通信周波数の切替を行いながら、相互の通信を行うことになる。ダウンコンバータ１２０から出力される受信信号のホッピング周波数と、発振回路１４０が発生する周波数とは常に一致することになるので、検波回路１７０は常にベースバンド受信信号を検波することが可能になり、また、アップコンバータ１３０を介して、常にベースバンド送信信号を送信することが可能になる。
【００２８】
＜＜＜  §２．本発明の基本原理  ＞＞＞
既に§１で述べたとおり、周波数ホッピング方式を用いた無線通信装置では、現時点で通信を行っていない場合でも、他の端末装置からの呼び出しがあったときに即座に応答できるように、待ち受け状態にしておく必要がある。しかも、この待ち受け状態では、ホッピングの可能性がある多数の周波数帯（ホッピング周波数帯）の信号をモニターする必要があるため、図２の周波数ホッピング式通信部１００の例にも示されているとおり、発振回路１４０を動作させて検波を行う必要がある。このような用途に利用される発振回路１４０は、いわゆる周波数シンセサイザと呼ばれている回路（ＰＬＬ回路）であり、比較的消費電力が大きい回路になる。このため、従来の周波数ホッピング方式を用いた無線通信装置には、待ち受け時の消費電力が大きいという問題がある点は、既に述べたとおりである。
【００２９】
本発明の目的は、このような待ち受け時の消費電力を低減させることにあるが、そのために、本発明では、周囲における特定の電磁的ホッピング場の存在を検出するホッピング場検出部を付加し、このホッピング場検出部が特定の電磁的ホッピング場の存在を検出した場合にのみ、消費電力の大きな発振回路を動作させる、という手法を採っている。
【００３０】
図４は、本発明に係る周波数ホッピング方式を用いた無線通信装置の基本構成を示すブロック図である。図示のとおり、この装置は、周波数ホッピング式通信部１００とホッピング場検出部２００とによって構成されている。周波数ホッピング式通信部１００は、図２に示すように、従来の一般的な周波数ホッピング方式を用いた無線通信装置に組み込まれていた無線通信部であり、周波数ホッピングの対象となる複数通りの周波数から選択された任意の周波数で発振可能な発振回路１４０を有し、この発振回路１４０で発生させた交流信号を用いて、周波数ホッピング方式を用いた無線通信もしくはその準備を行う機能を果たす構成要素である。これに対して、ホッピング場検出部２００は、本発明に特有の構成要素であり、周囲における特定の電磁的ホッピング場（当該無線通信装置が利用する周波数ホッピング方式に該当する周波数の変動場）の存在を検出する機能をもっている。
【００３１】
ここで、ホッピング場検出部２００が、該当する特定の電磁的ホッピング場を検出すると、ホッピング場検出部２００から周波数ホッピング式通信部１００に対して検出信号が与えられる。周波数ホッピング式通信部１００は、この検出信号が与えられている場合にのみ、その本来の動作を実行するように構成されている。たとえば、ホッピング場検出部２００からの検出信号が与えられたときにのみ、周波数ホッピング式通信部１００を動作させるための電力供給が行われるようにしておけば、検出信号が与えられない状態では、周波数ホッピング式通信部１００には、検出信号が与えられたときにこれを認識するためのモニター回路を動作させるための予備電力だけを供給しておけば足りることになる。実際の回路は、既に述べたとおり、周波数シンセサイザとして機能する発振回路１４０の消費電力が極めて大きい。したがって、実用上は、少なくとも発振回路１４０については、ホッピング場検出部２００からの検出信号が与えられた場合にのみ動作させるような構成にしておけばよい。そうしておけば、図４に示す無線通信装置は、待ち受け状態では、周波数ホッピング式通信部１００内の少なくとも発振回路１４０は休止状態になるため、待ち受け状態における消費電力を大幅に低減させることができる。
【００３２】
たとえば、移動局のＢｌｕｅｔｏｏｔｈ用通信機器として図４に示す無線通信装置を利用した場合、この移動局の周囲に基地局が存在しないときには、周波数ホッピング式通信部１００内の少なくとも発振回路１４０は休止状態となり、消費電力を低減することができる。しかも、この状態であっても、ホッピング場検出部２００は機能しているため、もし、この移動局が移動することにより、特定の基地局の通信可能エリア内に入れば、当該エリア内にホッピング場が存在することが検出され、周波数ホッピング式通信部１００に対して検出信号が与えられることになる。この時点で、周波数ホッピング式通信部１００内の発振回路１４０は動作を開始し、周波数ホッピング式通信部１００は通常動作状態へと移行するので、この移動局は上記特定の基地局と支障なく通信を行うことができる。別言すれば、発振回路１４０が休止状態となり、周波数ホッピング式通信部１００が通常動作をしていなくても、ホッピング場検出部２００により周囲のホッピング場の検出（すなわち、周辺基地局の存在検出）が常に行われているので、従来の無線通信装置と同様の待ち受け状態が実現できる。
【００３３】
＜＜＜  §３．ホッピング場検出部の具体的な構成例  ＞＞＞
図５は、図４に示すホッピング場検出部２００の具体的な構成例を示すブロック図である。この構成例では、ホッピング場検出部２００は、アンテナ２１０、ダウンコンバータ２２０、周波数／振幅変換回路２３０、包絡線検出回路２４０、時系列パターン判定回路２５０によって構成されている。ホッピング場検出部２００は、ホッピングによる通信周波数の遷移現象自体を一種のＦＭ信号として認識し、周波数のパターン変化からホッピング場の検出を行う装置ということができる。したがって、図５に示すホッピング場検出部２００におけるアンテナ２１０、ダウンコンバータ２２０、周波数／振幅変換回路２３０、包絡線検出回路２４０は、一般的なＦＭ受信回路で利用されているものを流用して実現することが可能である。
【００３４】
まず、アンテナ２１０およびダウンコンバータ２２０は、図２に示す周波数ホッピング式通信部１００におけるアンテナ１１０およびダウンコンバータ１２０と同等の構成要素であり、ホッピング周波数帯における周囲の電磁場の変動を示す信号を受信する信号受信部として機能する。前述したように、ダウンコンバータ２２０によって、ＲＦ信号の周波数成分は除去され、ホッピング周波数帯（たとえば、図３に示す例の場合は、周波数ｆ０〜ｆ４までの周波数帯域）を含む信号が受信信号として得られることになる。なお、ダウンコンバータ２２０の代わりにフィルタ回路を用いてもかまわない。
【００３５】
周波数／振幅変換回路２３０は、この信号受信部（アンテナ２１０およびダウンコンバータ２２０）が受信した信号の周波数成分を振幅成分に変換する処理を行う回路である。この周波数／振幅変換回路２３０としては、入力信号の周波数に応じた振幅をもった出力信号が得られるような回路であれば、どのような回路を用いてもかまわないが、実用上は、いわゆる単同調回路により周波数／振幅変換回路２３０を構成することが可能である。図６は、この単同調回路の動作特性を示すグラフである。横軸は入力信号の周波数ｆを示し、縦軸は出力信号の振幅を示している。周波数軸のｆｍｉｎは、ホッピング対象周波数の最小値を示し、ｆｍａｘは、ホッピング対象周波数の最大値を示す。また、振幅軸のＡは最大振幅を示している。図示のとおり、この単同調回路では、ホッピング最大周波数ｆｍａｘをもった信号が与えられた場合には、振幅０の出力信号が得られ、ホッピング最小周波数ｆｍｉｎをもった信号が与えられた場合には、最大振幅Ａの出力信号が得られ、任意の中間周波数ｆｉをもった信号が与えられた場合には、中間振幅Ａｉの出力信号が得られることになる。
【００３６】
一方、図７は、位相変化回路を利用して、周波数／振幅変換回路２３０を構成した例を示すブロック図である。位相変化回路２３１は、図８に示すような動作特性を有する回路であり、入力信号の周波数に応じた位相をもった出力信号を得るための回路である。図８の横軸は図６と同様に入力信号の周波数ｆを示し、縦軸は出力信号の位相を示している。この位相変化回路２３１では、ホッピング最大周波数ｆｍａｘをもった信号が与えられた場合には、位相０の出力信号が得られ、ホッピング最小周波数ｆｍｉｎをもった信号が与えられた場合には、位相πの出力信号が得られ、任意の中間周波数ｆｉをもった信号が与えられた場合には、中間位相φｉの出力信号が得られることになる。図７に示すように、信号乗算器２３２によって、もとの信号と位相変化後の信号とが乗算された結果、やはり入力信号の周波数に応じた振幅をもった出力信号が得られることになる。
【００３７】
包絡線検出回路２４０は、周波数／振幅変換回路２３０から出力された信号についての包絡線を検出する回路である。上述したように、周波数／振幅変換回路２３０から出力された信号の振幅は、もとの受信信号の周波数に応じたものになるので、包絡線検出回路２４０によって検出された包絡線は、もとの受信信号の周波数を示すことになる。なお、一般的な包絡線検出回路は、たとえばフィルタ回路などの公知の回路によって実現できるため、ここでは詳しい説明は省略する。
【００３８】
続いて、包絡線検出回路２４０から出力される包絡線信号が具体的にどのような信号になるかを考えてみる。いま、あるエリア内に、図１に示すようなパターンをもったホッピング場が存在したとしよう。このホッピング場では、送信信号の周波数が、周期Ｔごとに、ｆ０→ｆ１→ｆ２→ｆ３→ｆ４と遷移している。このような信号は、実際には、たとえばＢｌｕｅｔｏｏｔｈの通信規格では、２．４ＧＨｚのＲＦ信号帯にアップコンバートされて送信されてくることになるが、図５に示すホッピング場検出部２００では、ダウンコンバータ２２０によりダウンコンバートされ、周波数／振幅変換回路２３０に与えられることになる。送信信号に含まれていた周波数のｆ０→ｆ１→ｆ２→ｆ３→ｆ４なる遷移情報は、周波数／振幅変換回路２３０によって振幅情報に変換されるので、包絡線検出回路２４０から出力される包絡線信号は、たとえば、図９のグラフに示すような電圧値をもった信号になる。
【００３９】
この図９のグラフには、図１に示すホッピングパターンの特徴が如実に現れている。すなわち、図９に示す包絡線Ｅの電圧値が変化するタイミングである時刻ｔ０〜ｔ４は、図１に示す周波数ホッピングのタイミングｔ０〜ｔ４に相当し、その周期Ｔは一致する。また、図９に示す包絡線Ｅの各電圧値Ｖ０〜Ｖ３は、図１に示す周波数ｆ０〜ｆ３に相当する。ここに示す実施例の場合、図６のグラフに示すように、周波数／振幅変換回路２３０では、周波数の高いほど、振幅が小さくなるような変換がなされるので、図９のグラフでは、包絡線Ｅの電圧値が小さいほど、もとの信号の周波数が高かったことを示している。
【００４０】
図５に示すように、こうして得られた包絡線信号は、時系列パターン判定回路２５０へ与えられる。この時系列パターン判定回路２５０は、検出した包絡線Ｅに含まれる時系列パターン（図９のグラフに示すようなパターン）が、所定の周波数ホッピングパターン（基地局から送信されてくると予想される周波数ホッピングパターン、たとえば、図１に示すようなパターン）に一致するか否かを判定する機能を有する回路であり、両者が一致する旨の判定がなされたときに、電磁的ホッピング場の存在を検出したことを示す検出信号を出力する。
【００４１】
包絡線検出回路２４０が検出した包絡線Ｅに含まれる時系列パターンと、所定の周波数ホッピングパターンとの一致／不一致の第１の判定方法は、基地局から送信されてくることが予想される周波数の変遷パターンと、包絡線Ｅに含まれる電圧値の変遷パターンとを、順に比較する方法である。たとえば、基地局から図１に示すような周波数変遷パターンが送信されてきた場合、周波数は、ｆ０→ｆ１→ｆ２→ｆ３→ｆ４なる順序の変遷パターンを採るはずなので、Ｖ０→Ｖ１→Ｖ２→Ｖ３→Ｖ４なる順序の電圧値の変遷パターンが包絡線Ｅに含まれていれば、一致判定を行うことができる。この場合、時系列パターン判定回路２５０内に、予めＶ０→Ｖ１→Ｖ２→Ｖ３→Ｖ４なる順序の電圧値の変遷パターンをデータとして記憶させておき、順次比較を行うようにすればよい。
【００４２】
一致／不一致の第２の判定方法は、変遷周期Ｔ１の一致を確認する方法である。すなわち、図１に示す例では、周波数ホッピングは周期Ｔごとに生じることがわかっているので、この周期Ｔを時系列パターン判定回路２５０内に予め記憶させておき、この周期Ｔで電圧値が変遷するような包絡線Ｅが得られたら、一致判定を行うことができる。
【００４３】
実用上は、上述した第２の判定方法を採用すれば十分である。たとえば、Ｂｌｕｅｔｏｏｔｈの通信規格では、基地局から移動局を呼び出す際の周波数ホッピング周期は、３１７．５μｓｅｃ、通信中の周波数ホッピング周期は、６２５μｓｅｃ、と定められているので、図９のグラフに示すような包絡線Ｅが得られ、かつ、電圧値の変遷周期Ｔが３１７．５μｓｅｃもしくは６２５μｓｅｃであった場合には、Ｂｌｕｅｔｏｏｔｈの通信規格によるホッピング場が検出されたものと判断して間違いない。
【００４４】
図１０は、上述した第２の判定方法を行う場合の時系列パターン判定回路２５０の構成例を示すブロック図である。この例では、時系列パターン判定回路２５０は、サンプリング回路２５１、サンプル値記憶回路２５２、比較器２５３、カウンタ２５４、計数値判定部２５５なる要素から構成されている。
【００４５】
サンプリング回路２５１は、包絡線検出回路２４０が検出した包絡線Ｅに対応するゲインをもった信号を、所定のサンプル周期でサンプリングし、ゲインに応じたサンプル値の羅列として出力する回路である。図示の例では、所定の同期信号（クロック信号）に同期したタイミングでサンプリングが行われ、サンプル値はデジタルデータとして出力される。たとえば、図９に示す包絡線Ｅに対応するゲインをもった信号について、所定のサンプル周期でサンプリングすると、図１１に示すようなサンプル値Ｓ１，Ｓ２，Ｓ３，Ｓ４，…がデジタル値として出力されることになる。図示の例の場合は、サンプル値Ｓ１，Ｓ２，Ｓ３は、電圧Ｖ０に対応したデジタル値となり、サンプル値Ｓ４，Ｓ５，Ｓ６は、電圧Ｖ１に対応したデジタル値となり、以下同様である。なお、包絡線検出回路２４０から出力される信号がアナログ信号である場合には、Ａ／Ｄ変換器をそのままサンプリング回路２５１として利用することができる。
【００４６】
サンプル値記憶回路２５２は、サンプリング回路２５１から出力されたサンプル値を所定期間だけ記憶する機能を有する回路であり、この実施例の場合、サンプリング回路２５１が出力するサンプル値を１サンプル周期だけ記憶する機能を有している。たとえば、サンプリング回路２５１からサンプル値Ｓ１が出力されると、サンプル値記憶回路２５２は、これを取り込んで一時的に記憶するが、次のサンプル周期において、サンプル値Ｓ２が出力されると、今まで記憶していたサンプル値Ｓ１を比較器２５３へと出力するとともに、新たにサンプル値Ｓ２を取り込んで一時的に記憶する、という動作をくり返すことになる。
【００４７】
比較器２５３は、サンプリング回路２５１から出力されたサンプル値をサンプル値記憶回路２５２に記憶されている１サンプル周期分前のサンプル値と比較し、両者が不一致の場合に、カウンタ２５４をリセットする機能を有している。上述の例の場合、サンプリング回路２５１からサンプル値Ｓ２が出力されると、これを、サンプル値記憶回路２５２に記憶されていた１サンプル周期分前のサンプル値Ｓ１と比較する処理が行われ、両者が一致したときにリセット信号が出力されることになる。
【００４８】
たとえば、図１１に示す例の場合、まず、サンプル値Ｓ２と直前のＳ１との比較が行われることになるが、両者が一致しているので、比較器２５３からのリセット信号の出力は行われない。続いて、サンプル値Ｓ３と直前のＳ２との比較が行われることになるが、両者はやはり一致しているので、比較器２５３からのリセット信号の出力は行われない。しかし、次に、サンプル値Ｓ４と直前のＳ３との比較が行われたときには、両者は不一致となるので、比較器２５３からリセット信号が出力されることになる。かくして、図１１に示す例の場合、サンプル値Ｓ１，Ｓ４，Ｓ７，Ｓ１０という周期で、比較器２５３からリセット信号が出力される。このリセット信号が出力される周期は、図９に示す包絡線Ｅの電圧値に変遷が生じる周期Ｔになる。
【００４９】
カウンタ２５４は、サンプリング回路２５１に与えられる同期信号の周期を計数する機能を有し、その計数値は、比較器２５３から出力されるリセット信号によってリセットされる。結局、このカウンタ２５４は、サンプル周期をリセット信号が与えられるまで計数する機能を果たし、得られる計数値は、図９に示す周期Ｔを示す値ということになる。
【００５０】
計数値判定部２５５は、こうして得られる計数値（カウンタ２５４がリセットされる直前の計数値）に基づいて、包絡線Ｅに含まれる時系列パターンが、周波数ホッピングパターンに一致するか否かを判定する機能を有する。上述したように、カウンタ２５４のリセット直前の計数値は、図９に示す包絡線Ｅに関する周期Ｔを示す値であり、これが周波数ホッピング方式における周波数切替周期（図１の周期Ｔ）に一致することが認識できれば、パターンの一致判定を行うことができる。そこで、計数値判定部２５５には、予め図１の周期Ｔに相当するデータを記憶させており、カウンタ２５４から得られた計数値がこれに一致するか否かの判定を行い、一致の判定が得られたら検出信号を出力する構成にしておけばよい。この検出信号は、図１に示す周波数ホッピング方式によるホッピング場の検出を示す信号ということになる。
【００５１】
なお、上述の実施例では、サンプル値記憶回路２５２には１サンプル周期分前のサンプル値を１つだけ記憶させておき、比較器２５３によって、１つのサンプル値を直前のサンプル値と比較する処理を行っていたが、サンプル値の比較は必ずしも１対１で行う必要はなく、複数個のサンプルを同時に比較するようにしてもかまわない。たとえば、サンプル値記憶回路２５２に、ｎサンプル周期分前までのサンプル値を記憶させるようにしておき、比較器２５３において、サンプリング回路２５１から出力されたサンプル値と、サンプル値記憶回路２５２に記憶されていたｎ個のサンプル値とをそれぞれ比較し、所定のしきい値以上の確率で不一致となった場合にリセット信号を出力させるようなことも可能である。
【００５２】
また、計数値判定部２５５における一致判定も、より厳密に行うことが可能である。すなわち、カウンタ２５４から得られた計数値が、予め記憶しておいた所定周期Ｔに１回だけ一致したとしても、まだ検出信号を出力しないでおき、周期Ｔを示す計数値が所定回数だけ連続してカウンタ２５４から得られた場合に、はじめて検出信号を出力するような構成にしておけば、本来、目的となるホッピング場が存在しないのに、包絡線Ｅに、たまたま周期Ｔに一致した期間をもった電圧変動が生じた場合に、誤って検出信号が出力されるような現象を防ぐことができる。
【００５３】
以上のように、図５に示すような構成をもったホッピング場検出部２００を用いれば、所定の周波数ホッピング方式を用いた無線通信が行われている環境における電磁的ホッピング場を有効に検出することが可能になる。実環境における電磁場には、短時間に発生するパルスノイズが混入することも少なくないが、このようなパルスノイズは持続的に発生するものではないので、本発明に係る検出手法においては排除されることになり問題は生じない。また、ある特定の周波数帯域に常時停滞するようなノイズが混入したとしても、そのようなノイズは周波数パターンが変化しないため、やはり本発明に係る検出手法においては排除され支障は生じない。ランダムノイズが発生している環境においても、このようなランダムノイズは、周期的な周波数の変遷成分を有していないため、同様に、本発明に係る検出手法では排除される。
【００５４】
なお、図４に示す無線通信装置を構成する場合、実用上は、ホッピング場検出部２００における周囲の電磁場の変動を示す信号を受信する部分と、周波数ホッピング式通信部１００における信号を受信する部分とは、共用するようにしてかまわない。たとえば、図５には、ホッピング場検出部２００の構成要素として、アンテナ２１０およびダウンコンバータ２２０が示されているが、これらの構成要素は、周囲の電磁場の変動を示す信号を受信する部分であり、周波数ホッピング式通信部１００内の信号受信部（図２におけるアンテナ１１０およびダウンコンバータ１２０）と同等の機能を果たす構成要素である。したがって、実用上は、たとえば、アンテナ２１０とアンテナ１１０とを同一のアンテナで共用するようにし、ダウンコンバータ２２０とダウンコンバータ１２０とを同一の回路で共用するようにしてかまわない。
【００５５】
＜＜＜  §４．複数の通信部を有する無線通信装置への適用  ＞＞＞
ここでは、本発明を、複数の通信部を有する無線通信装置に適用した実施例を述べる。図１２は、このような実施例を示すブロック図である。ここに示す無線通信装置は、第１の無線通信方式による通信を行う機能をもった第１の無線通信部３１０と、第２の無線通信方式による通信を行う機能をもった第２の無線通信部３２０と、を有している。具体的には、第１の無線通信部３１０は携帯電話による通信を行う通信部であり、第２の無線通信部３２０は、Ｂｌｕｅｔｏｏｔｈや無線ＬＡＮ等による通信を行う通信部である。このように、１台の無線通信装置の中に複数の異なる通信部を組み込み、それぞれ異なる通信規格に基づいて外部機器に対する通信を行う、という形態は、今後も益々増えてゆくものと思われる。ここで、少なくとも第２の無線通信部３２０が周波数ホッピング方式を採用した通信部であった場合、本発明に係る技術思想を適用することが可能になる。
【００５６】
この場合、第２の無線通信部３２０は、複数通りの通信周波数を、所定周期で所定の順番に従って切り替えながら通信を行うために、この複数通りの周波数から選択された任意の周波数で発振可能な発振回路を有しており、この発振回路で発生させた交流信号を用いて、周波数ホッピング方式を用いた無線通信もしくはその準備を行う機能を有している。そこで、図示のとおり、この無線通信装置に、ホッピング場検出部３３０（これまで述べたホッピング場検出部２００と同一の構成でよい）を組み込み、周囲における特定の電磁的ホッピング場の存在を検出できるようにし、第２の無線通信部３２０内における少なくとも発振回路については、ホッピング場検出部３３０が特定の電磁的ホッピング場の存在を検出した場合にのみ動作するように構成しておけばよい。
【００５７】
この無線通信装置が待ち受け状態にあるときには、第１の無線通信部３１０とホッピング場検出部３３０は通常動作を行うことになる。しかし、第２の無線通信部３２０については、少なくとも発振回路の動作が休止状態となっているため、通常の待ち受け動作は行われない。ここで、第１の無線通信部３１０として機能する携帯電話に対して着信があれば、通常の待ち受け状態になっているため、そのまま着信動作が実行される。一方、第２の無線通信部３２０として機能するＢｌｕｅｔｏｏｔｈ機器に対する呼び出しがあった場合、第２の無線通信部３２０自体は待ち受け状態にはなっていないが、ホッピング場検出部３３０によりホッピング場の検出が行われ、第２の無線通信部３２０に対して検出信号が与えられることになる。この検出信号を受けた第２の無線通信部３２０は、発振回路を動作させて通常の待ち受け状態へと移行するので、Ｂｌｕｅｔｏｏｔｈ機器として応答することが可能になる。
【００５８】
今後、携帯電話には、様々な機能が組み込まれてゆくことが予想され、図１２に示す例のように、Ｂｌｕｅｔｏｏｔｈ機器としても重要な役割が与えられることになる。この場合、携帯電話については、待ち受け状態にしておくのが一般的であり、現在市販されている携帯電話には、待ち受け状態を長時間維持する上で十分な容量をもったバッテリが備わっている。しかしながら、Ｂｌｕｅｔｏｏｔｈの通信規格では、周波数ホッピング方式が採られるため、待ち受け状態にしておくとバッテリの消費量はかなり大きなものとなり、待ち受け状態を長時間維持することは困難である。このような問題を解決する上で、本発明は極めて有効である。ホッピング場検出部３３０には、発振回路は組み込まれていないので、その消費電力は第１の無線通信部３１０と同程度であり、通常のバッテリにより、長時間の待ち受け状態を維持することが可能である。
【００５９】
今後、駅の構内、公共施設、飲食店などに、Ｂｌｕｅｔｏｏｔｈの基地局が多数設置され、様々なサービスの提供が行われることが予想される。したがって、図１２に示すようなＢｌｕｅｔｏｏｔｈ機器としての機能も兼ねる携帯電話は、このようなサービスを受ける移動局として大きな役割を果たすことになる。しかしながら、Ｂｌｕｅｔｏｏｔｈ機器としての機能を果たすことができるのは、Ｂｌｕｅｔｏｏｔｈの基地局の近傍（通信可能なエリア内）に入ったときに限られるので、Ｂｌｕｅｔｏｏｔｈ機器として常に待ち受け状態にしておくのは、消費電力の無駄である。本発明を適用すれば、このような無駄を省くことができ、しかもＢｌｕｅｔｏｏｔｈの基地局の近傍エリアに入った場合には、当該エリア内のホッピング場を検出して、直ちにＢｌｕｅｔｏｏｔｈ機器として通信を開始することが可能になる。
【００６０】
なお、実用上は、図１３に示す例のように、第２の無線通信部３２０内にホッピング場検出部３３０を組み込むようにし、ホッピング場検出部３３０における周囲の電磁場の変動を示す信号を受信する部分と、第２の無線通信部３２０における信号を受信する部分と、を共用するようにするのが好ましい。このように、ホッピング場検出部３３０を第２の無線通信部３２０としての構成部分に組み込めば、アンテナやダウンコンバータなどの構成要素を両者で共用することが可能になる。あるいは、図１４に示す例のように、ホッピング場検出部３３０を第１の無線通信部３１０に組み込んで、必要な構成要素を共用することも可能である。
【００６１】
＜＜＜  §５．ホッピング場の検出装置としての利用  ＞＞＞
これまで述べた実施形態では、図５に示すホッピング場検出部２００を、周波数ホッピング方式を用いた無線通信装置に組み込み、周波数ホッピング式通信部１００内の発振回路１４０の動作のｏｎ／ｏｆｆ制御に利用した例を述べた。しかしながら、図５に示すホッピング場検出部２００は、たとえば、Ｂｌｕｅｔｏｏｔｈなどの周波数ホッピング方式を用いた通信環境の有無を判定する機能を有しているので、これをホッピング場の検出装置として単独で利用することも可能である。
【００６２】
たとえば、これから周波数ホッピング方式を用いた無線通信を行う場合に、通信に必要な十分な強度をもったホッピング場が存在しているか否かを事前に検出するような用途に利用することができる。
【００６３】
あるいは、複数の無線通信システムが混在し、しかもそれらが同一の周波数帯を共用する場合であれば、他のシステムの通信状態を効率よく知ることができ、システム間の干渉を防止する効果が得られる。すなわち、ホッピング場検出部２００を利用すれば、周囲に所定のホッピング場が存在するか否かを認識することができるので、現在、別な通信システムが、周波数ホッピング方式を用いた無線通信を行っているか否かを判定することができ、たとえば、他のシステムが無線通信を行っている場合には、通信を自粛して、異なる通信システム間に干渉が発生することを防止することが可能になる。
【００６４】
【発明の効果】
以上のとおり本発明に係る周波数ホッピング方式を用いた無線通信装置によれば、待ち受け時の消費電力を低減させることが可能になる。また、本発明に係るホッピング場の検出装置を用いれば、周囲のホッピング場の存在を確認することが可能になる。
【図面の簡単な説明】
【図１】一般的な周波数ホッピング方式の基本原理を示すダイヤグラムである。
【図２】周波数ホッピング方式による通信を行う通信部１００の基本構成の一例を示すブロック図である。
【図３】周波数ホッピング方式を採用する基地局と移動局との間における待ち受け状態の一般的な動作を説明するためのタイムダイヤグラムである。
【図４】本発明に係る周波数ホッピング方式を用いた無線通信装置の基本構成を示すブロック図である。
【図５】図４に示すホッピング場検出部２００の具体的な構成例を示すブロック図である。
【図６】図５に示す周波数／振幅変換回路２３０として用いられる単同調回路の動作特性を示すグラフである。
【図７】位相変化回路２３１を利用して、図５に示す周波数／振幅変換回路２３０を構成した例を示すブロック図である。
【図８】図７に示す位相変化回路２３１の動作特性を示すグラフである。
【図９】図５に示す包絡線検出回路２４０から出力される包絡線信号の一例を示すグラフである。
【図１０】図５に示す時系列パターン判定回路２５０の構成例を示すブロック図である。
【図１１】図９に示す包絡線信号に対して、図１０に示すサンプリング回路２５１によるサンプリングを行った状態を示すグラフである。
【図１２】本発明を複数の通信部を有する無線通信装置に適用した実施例のブロック図である。
【図１３】図１２に示す実施例の変形例を示すブロック図である。
【図１４】図１２に示す実施例の別な変形例を示すブロック図である。
【符号の説明】
１００…周波数ホッピング式通信部
１１０…アンテナ
１２０…ダウンコンバータ
１３０…アップコンバータ
１４０…発振回路
１５０…信号乗算器
１６０…信号乗算器
１７０…検波回路
１８０…通信制御回路
２００…ホッピング場検出部
２１０…アンテナ
２２０…ダウンコンバータ
２３０…周波数／振幅変換回路
２３１…位相変化回路
２３２…信号乗算器
２４０…包絡線検出回路
２５０…時系列パターン判定回路
２５１…サンプリング回路
２５２…サンプル値記憶回路
２５３…比較器
２５４…カウンタ
２５５…計数値判定部
３１０…第１の無線通信部（携帯電話）
３２０…第２の無線通信部（Ｂｌｕｅｔｏｏｔｈ，無線ＬＡＮ等）
３３０…ホッピング場検出部
Ａ…最大振幅
Ａｉ…中間振幅
Ｅ…包絡線
ｆ０〜ｆ４…ホッピング対象となる周波数
ｆｍａｘ…ホッピング対象周波数の最大値
ｆｍｉｎ…ホッピング対象周波数の最小値
ｆｉ…任意の中間周波数
Ｓ１〜Ｓ１２…サンプル値
Ｔ，Ｔ１，Ｔ２…周期
ｔ０〜ｔ４…周波数ホッピングを行う時刻
Ｖ０〜Ｖ３…電圧値
φｉ…中間の位相値
【図１】
2004180230.tif 000003
【図２】
2004180230.tif 000004
【図３】
2004180230.tif 000005
【図４】
2004180230.tif 000006
【図５】
2004180230.tif 000007
【図６】
2004180230.tif 000008
【図７】
2004180230.tif 000009
【図８】
2004180230.tif 000010
【図９】
2004180230.tif 000011
【図１０】
2004180230.tif 000012
【図１１】
2004180230.tif 000013
【図１２】
2004180230.tif 000014
【図１３】
2004180230.tif 000015
【図１４】
2004180230.tif 000016